(57)【特許請求の範囲】
【請求項１】
床下に排水主管を管固定具により流れ勾配をつけて配管固定し、屋内の各排水箇所からの排水枝管を排水主管に接続すると共に、排水主管の下流端を基礎貫通部材を介して屋外排水管に接続した床下配管構造であって、
基礎貫通部材の本体の開口した上部の外側面に、複数の突片を上下方向に間隔をあけて設け、この突片を基礎の鉄筋に線材で結び付けて本体を固定したことを特徴とする床下配管構造。
【請求項２】
上記突片に孔があいていることを特徴とする請求項１に記載の床下配管構造。
【発明の詳細な説明】
【技術分野】
【０００１】
本発明は、戸建て住宅に好適に採用される床下配管構造に関する。
【背景技術】
【０００２】
従来の戸建て住宅においては、図１０に示すように、基礎１００に沿って排水主管１０１を屋外の地中に配管し、屋内のトイレ、風呂場、洗濯機、洗面所、台所などの各排水箇所からの排水管１０２を、屋外の排水主管１０１に接続していた。
【先行技術文献】
【特許文献】
【０００３】
【特許文献１】なし
【発明の概要】
【発明が解決しようとする課題】
【０００４】
しかしながら、上記の配管構造では、排水主管１０１を屋外の地中に埋設する作業が大変であり、特に、埋設スペースが少ない場合は、埋設作業がし辛いという問題があった。
【０００５】
しかも、排水管１０２を屋外の排水主管１０１に接続する部分には、必ず排水桝１０３を設置しなければならないので、多くの排水桝１０３が必要になり、部品コストが増大するだけでなく、各排水桝１０３の蓋が地面に露出するため外観が悪くなるという問題があった。
【０００６】
また、各排水管１０２は基礎貫通部材１０４を介して屋外へ導出しなければならないため、排水管１０２と同じ数の基礎貫通部材１０４が必要となり、部品コストが増大すると共に、該部材１０４の埋設作業が大変になるという問題もあった。
【０００７】
本発明は上記の問題に対処すべくなされたもので、その目的とするところは、床下の空間を利用して配管することにより、施工性の大幅な向上と、排水桝や基礎貫通部材の大幅な削減と、外観の向上等を図ると共に、基礎貫通部材の本体の固定作業が極めて容易で、基礎コンクリートの打設時に本体が動く恐れがなく確実に本体を基礎中の所定位置に埋設することができる床下配管構造を提供することにある。
【課題を解決するための手段】
【０００８】
上記目的を達成するため、本発明の床下配管構造は、床下に排水主管を管固定具により流れ勾配をつけて配管固定し、屋内の各排水箇所からの排水枝管を排水主管に接続すると共に、排水主管の下流端を基礎貫通部材を介して屋外排水管に接続した床下配管構造であって、基礎貫通部材の本体の開口した上部の外側面に、複数の突片を上下方向に間隔をあけて設け、この突片を基礎の鉄筋に線材で結び付けて本体を固定したことを特徴とするものである。
【０００９】
本発明の床下配管構造においては、上記突片に孔があいていることが好ましい。
【発明の効果】
【００１０】
本発明の床下配管構造は、排水主管を地中に埋設する作業が不要となり、管固定具によって流れ勾配をつけながら簡単に排水主管を床下に配管することができる。そして、各排水箇所からの排水枝管は管継手を用いて排水主管に接続されるので、排水主管が接続される屋外排水管の屈曲点にのみ排水桝を埋設すれば良くなり、排水桝の使用個数を大幅に削減することができる。また、基礎貫通部材も排水主管の下流端に一つ設置すればよいので、使用個数を大幅に削減することができる。この床下配管構造は、上記のように排水主管を地中へ埋設する必要がなく、排水桝や基礎貫通部材を大幅に削減できるので、施工性が大幅に向上し、施工費や部品コストの削減が可能となる。また、屋外排水管の屈曲点のみに排水桝を設置すればよいので、地面に露出する排水桝の蓋の数が１〜２個となり、外観も向上する。更に、基礎貫通部材の本体の開口した外側面に複数の突片を上下間隔をあけて設け、この突片を基礎の鉄筋に線材で結び付けて本体を固定しているので、基礎貫通部材の本体の固定作業が極めて容易であり、しかも、基礎コンクリートの打設時に本体が動く恐れがなく確実に本体を高さ位置の調整をして基礎中の所定位置に埋設することができる。
【００１１】
また、基礎貫通部材の本体の開口した上部の外側面に上下方向に間隔をあけて設けられた突片に孔があいている床下配管構造は、基礎コンクリートの打設時に、その孔を利用して該突片を基礎の鉄筋に線材で結び付けることによって、本体を簡単且つ確実に固定することができる。
【図面の簡単な説明】
【００１２】
【図１】本発明の一実施形態に係る床下配管構造の概略平面図である。
【図２】同床下配管構造に用いる管固定具の正面図であって、（Ａ）は管押え材を閉じて排水主管を固定した状態を示し、（Ｂ）は排水主管を固定する前の管押え材が開いた状態を示す。
【図３】同管固定具の側面図である。
【図４】基礎コンクリート打設時の基礎貫通部材の埋設部分の断面図である。
【図５】配管した後の基礎貫通部材の埋設部分の断面図である。
【図６】さや管と内管と立上り管を省略した基礎貫通部材の分解断面図である。
【図７】さや管と内管と立上り管を省略した基礎貫通部材の分解平面図である。
【図８】同基礎貫通部材のさや管に被着するキャップの断面図である。
【図９】同キャップを基礎貫通部材のさや管に被着した部分の断面図である。
【図１０】従来の配管構造を示す平面図である。
【発明を実施するための最良の形態】
【００１３】
以下、図面を参照して本発明の具体的な実施形態を詳述する。
【００１４】
図１に示す床下配管構造によれば、屋内の床下空間１に合成樹脂製の排水主管２が管固定具３により流れ勾配をつけて直線状に配管固定され、屋内のトイレ、風呂場、洗濯機、洗面所、台所等の各排水箇所からの合成樹脂製の排水枝管４が合成樹脂製の管継手５によって排水主管２に接続されている。そして、この排水主管２の下流端は、基礎貫通部材６を介して屋外排水管７に接続されている。この屋外排水管７は公共桝８に通じており、その途中の屈曲部には合成樹脂製の宅内排水桝９が埋設されている。
【００１５】
一方、排水主管２の上流端は基礎１０の外側面に露出し、この露出した上流端にキャップ１１が脱着可能に取付けられている。従って、このキャップ１１を外して排水主管２の上流端から排水主管２の内部を覗くと、簡単に排水主管２内部のゴミ詰まり等の点検を行うことができ、ゴミ等があれば、該上流端から線状ないし棒状の掃除具等を排水主管２に挿入して取り除くことができるので、メンテナンスが容易である。
【００１６】
上記のような床下配管構造は、排水主管２を地中に埋設する作業が不要であるため、施工性が大幅に向上し、施工費の低減が可能となる。しかも、基礎貫通部材６は一つあればよく、排水桝９も屋外排水管７の屈曲部にのみ埋設すればよいので、基礎貫通部材６や排水桝９の使用個数が大幅に減少し、部品コストの削減も可能となる。また、排水桝９の使用個数が少なくなれば、地面に露出する蓋の数も少なくなるので、家屋周辺の美観が向上する。
【００１７】
排水主管２を固定する管固定具３は、図２，図３に示すように、固定板３ａ、左右一対の棒ネジ３ｂ，３ｂ、管支持材３ｃ、管押え材３ｄ、ゴム材３ｅなどの主要部品からなるものであって、ゴム材３ｅを除いて他の部品は全て金属製である。
【００１８】
この管固定具３の固定板３ａは、その中央部３０ａが細長い帯状に隆起し、四隅がビス３ｆで基礎１０に固定されている。そして、この固定板３ａの隆起した中央部３０ａに、左右一対の棒ネジ３ｂ，３ｂが回転自在かつ抜出し不能に立設されている。これらの棒ネジ３ｂ，３ｂは、管支持材３ｃの左右両端部の固定ナット３０ｃ，３０ｃに下方から螺挿され、棒ネジ３ｂ，３ｂを回すと、管支持材３ｃが上下に移動して高さの調節が行われるようになっている。
【００１９】
管押え材３ｄは逆Ｕ字状に曲成された部材であって、図３に示すように、管押え材３ｄの中心線上にはスリット３０ｄが形成されている。このスリット３０ｄは、図２（Ｂ）に示すように管押え材３ｄを開けたとき、一方の棒ネジ３ｂが管押え材３ｄに当たらないようにするためのものである。この管押え材３ｄは、外側に折れ曲がった一端３１ｄを管支持材３ｃの係合孔３１ｃに挿入して抜けないように係合させることにより、管支持材３ｃに対して回動可能に取付けられている。そして、管押え材３ｄの他端３２ｄは、管支持材３ｃに取付けられたロック部材３２ｃの係止爪と係合して、解除可能にロックされている。従って、管押え材３ｄの他端３２ｄを外側に引いてロック部材３２ｃの係止爪との係合を解除すれば、管押え材３ｄを簡単に開けることができる。尚、３３ｄは、管押え材３ｄの開閉操作をしやすくするための操作片である。
【００２０】
更に、管支持材３ｃの中央上面と、管押え材３ｄの左右側部及び上部の内面には、排水主管２に弾接する防振用のゴム材３ｅが固着されている。このゴム材３ｅは、両端に一対のリング部を有するもので、これらのリング部が適度な弾力性を有し、排水主管２に対して安定良く弾接して良好な防振作用を発揮できるものである。
【００２１】
上記の管固定具３を用いると、左右の棒ネジ３ｂ，３ｂを回して管支持材３ｃの高さを調節することにより、排水主管２に所定の流れ勾配を付けて配管することができ、管押え材３ｄを閉じて管押え材３ｄの他端３２ｄをロック部材３２ｃによりロックするだけで、簡単に排水主管２を固定することができる。そして、このように固定した状態では、ゴム材３ｅが排水主管２の周囲に弾接して良好な防振作用を発揮するため、地震等の振動を受けても排水主管２の破損を防止することができる。
【００２２】
排水主管２を屋外排水管７に接続する前記の基礎貫通部材６は、図４，図５に示すように、その本体６ａ、高さ調節用のアジャスター６ｂ、さや管６ｃ、防水パッキン付き直角エルボ６ｄ、内管６ｅ、立上り管６ｆ、蓋材６ｇ、キャップ６ｈなどの主要部品からなるものであって、蓋材６ｇやキャップ６ｈはゴム又は軟質合成樹脂の成形品であるが、他の部品は全て硬質合成樹脂で成形された成形品である。
【００２３】
基礎貫通部材６の本体６ａは、上部にアジャスター挿入口６０ａが形成され、側面下部にさや管接続口６１ａが形成されている。そして、アジャスター挿入口６０ａには高さ調節用のアジャスター６ｂが上下可動に挿入され、さや管接続口６１ａにはさや管６ｃが接続されている。この本体６ａの開口した上部の外側面には、孔のあいた突片６２ａが上下方向に間隔をあけて複数形成され、基礎コンクリートの打設時に、突片６２ａの孔に線材１２を通して、該突片６２ａを基礎の鉄筋１０ａに線材１２で結び付けることによって、本体６ａを高さ位置の調整をして簡単に固定することができるようになっている。
【００２４】
アジャスター６ｂは、図７に示すような前方後円形の平面形状を有する筒体に形成され、これに対応して、本体６ａのアジャスター挿入口６０ａも前方後円形の平面形状を有する開口とされている。そして、アジャスター挿入口６０ａの上端部内面には、横向きの二つの凸条６３ａ，６３ａが形成され、図４に示すようにアジャスター６ｂを最上位置まで引き上げると、アジャスター６ｂの下端外縁６０ｂが二つの凸条６３ａ，６３ａの間に嵌まり込んで仮止めされるようになっている。
【００２５】
このアジャスター６ｂの上端開口には、ゴミや異物の侵入を防止する蓋材６ｇが被着されており、図７に示すように、この蓋材６ｇの上面には、切抜き口を手で簡単に切抜くことができるように断面Ｖ字形の切取り溝６０ｇが形成されている。そして、切抜かれる部分には、上方に突き出すツマミ６２ｇが形成されている。尚、６１ｇは、蓋材６ｇの裏面周縁部から内側に突き出した爪片であって、被着した蓋材６ｇがアジャスター６ａから剥脱しないようにアジャスター６ｂの上端フランジ部６１ｂに係止されるものである。
【００２６】
基礎貫通部材６の本体６ａの内部には、防水パッキン付き直角エルボ６ｄが安定良く内蔵され、このエルボ６ｄの上流側接続口６０ｄに立上り管６ｆが接続されている。一方、エルボ６ｄの下流側接続口６１ｄの内面には環状溝６２ｄが形成され、この環状溝６２ｄにリング状の防水パッキン６３ｄが取付けられている。そして、図４，図５に示すように、内管６ｅが上記エルボ６ｄの下流側接続口６１ｄに差し込まれて脱着可能に接続され、防水パッキン６３ｄによって水密性が確保されている。この内管６ｅの先端には、該内管６ｅと屋外排水管７を接続するための管継手６ｉが取付けられている。
【００２７】
また、さや管６ｃの先端には、土砂や基礎コンクリートの侵入を防止するキャップ６ｈが取付けられている。このキャップ６ｈは、図８に示すように、円形の端板６０ｈと外筒部６１ｈと内筒部６２ｈを備えたもので、端板６０ｈには、屋外排水管７を挿通するための切抜き口を手で簡単に切抜くことができるように断面Ｖ字形の切取り溝６３ｈが形成されており、切抜かれる部分にはツマミ６４ｈが形成されている。
【００２８】
このキャップ６ｈは、図４，図９に示すように、外筒部６１ｈがさや管６ｃに外嵌され、内筒部６２ｈがさや管６ｃと管継手６ｉとの間に挿入された状態で取付けられるため、管継手６ｉや内管６ｅが常にさや管６ｃと同心的位置関係を保ち、内管６ｅが斜め下方へ傾斜するのを防止できる利点がある。
【００２９】
以上のような基礎貫通部材６を基礎１０中に埋設する場合は、図４に示すように、アジャスター６ｂを最上位置まで引き上げて凸条６３ａで仮止めし、さや管６ｃ先端のキャップ６ｈをコンクリート型枠１３に当接させて、本体６ａを所定の深さに設置し、本体６ａの突片６２ａを線材１２で鉄筋１０ａに結び付けて本体６ａを固定する。そして、基礎コンクリートを打設し、コンクリートを乾燥固化させて基礎１０を完成する。このコンクリート打設時には、さや管６ｃの先端にキャップ６ｈが被せられているので、コンクリートがさや管６ｃの内部に侵入することはない。また、アジャスター６ｂの上端開口には蓋材６ｇが被着されているので、ゴミや異物が侵入することもない。
【００３０】
基礎１０が完成すると、図５に示すように、アジャスター６ｂを押し下げて蓋材６ｇと基礎１０の表面をほぼ面一にすると共に、蓋材６ｇのツマミ６２ｇを指で摘まみながら蓋材６ｇを切取り溝６０ｇに沿って切抜くことにより切抜き口を形成し、この蓋材６ｇの切抜き口を通じて、排水主管２と基礎貫通部材６の立上り管６ｆを直角エルボ６ｊで接続する。一方、コンクリート型枠１３を除去してさや管６ｃ先端のキャップ６ｈを基礎１０の外側面に露出させ、キャップ６ｈのツマミ６４ｈを指で摘まみながらキャップ６ｈを切取り溝６３ｈに沿って切抜くことにより切抜き口を形成し、このキャップ６ｈの切抜き口から屋外排水管７をさや管６ｃ内部の管継手６ｉに差し込んで屋外排水管７と内管６ｅを接続する。
【００３１】
上記のように、基礎１０に埋設した基礎貫通部材６を介して排水主管２と屋外排水管７を接続すると、基礎貫通部材６の内管６ｅが防水パッキン付き直角エルボ６ｄの下流側接続口６１ｄに脱着可能に差込接続されているため、下流側接続口６１ｄの防水パッキン６３ｄが劣化して防水性が低下したような場合には、内管６ｃを直角エルボ６ｄから引き抜き、本体６ａから直角エルボ６ｄを立上り管６ｆと共に取り出して新しいものに交換することができる。また、蓋材６ｇやキャップ６ｈは取り除かず、切抜き口を形成して、排水主管２と立上り管６ｆとの接続や、屋外排水管７と内管６ｅとの接続を行うため、施工後にアジャスター６ｂの上端開口からゴミや異物が本体６ａに入ったり、基礎１０の外側の土砂がさや管６ｃの内部に侵入することはない。そして、基礎貫通部材６は、アジャスター６ｂで高さ調節できるため、基礎１０中の所望の深さに埋設することができ、更にさや管６ｃや内管６ｅの長さを適宜変更すれば、基礎１０の外側面から所望の奥行きのところに埋設することができる。
【００３２】
以上の説明から明らかなように、本発明の床下配管構造は、排水主管２を地中に埋設する作業が不要となり、管固定具３によって流れ勾配をつけながら簡単に排水主管２を配管固定できるので、施工性が大幅に向上し、しかも、基礎貫通部材６は排水主管２の下流端に一つ設置すればよく、排水桝９も屋外排水管７の屈曲点にのみ埋設すればよいので、基礎貫通部材６や排水桝９の使用個数が大幅に減少して部品コストの低減が可能となり、また、排水桝９の使用個数の減少によって地面に露出する排水桝９の蓋の数が減少するので家屋周辺の外観も向上するといった効果を奏する。そして、排水主管２を直線状に配管し、排水主管２の上流端を基礎１０の外側面に露出させてキャップ１１を脱着可能に取付けたものは、キャップ１１を外して排水主管２内部のゴミ詰まり等の点検作業や清掃作業を簡単を行うことができるので、メンテナンスが容易であるといった効果も奏する。更に、基礎貫通部材６の本体６ａの開口した上部の外側面に複数の突片６２ａを上下方向に間隔をあけて設け、この突片６２ａを基礎１０の鉄筋１０ａに線材１２で結び付けて本体６ａを固定しているので、基礎貫通部材６の本体６ａの固定作業が極めて容易であり、しかも、基礎コンクリートの打設時に本体６ａが動く恐れがなく確実に本体６ａを高さ位置の調整をして基礎中の所定位置に埋設することができるといった効果も奏する。
【符号の説明】
【００３３】
１    床下空間
２    排水主管
３    管固定具
３ａ  固定板
３ｂ  棒ネジ
３ｃ  管支持材
３ｄ  管押え材
３ｅ  ゴム材
３０ｃ  固定ナット
３２ｃ  ロック部材
４    排水枝管
５    管継手
６    基礎貫通部材
６ａ  基礎貫通部材の本体
６ｂ  アジャスター
６ｃ  さや管
６ｄ  防水パッキン付き直角エルボ
６ｅ  内管
６ｆ  立上り管
６ｇ  蓋材
６ｈ  キャップ
６ｊ  直角エルボ
６０ａ  アジャスター挿入口
６１ａ  さや管接続口
６２ａ  突片
６０ｄ  防水パッキン付き直角エルボの上流側接続口
６１ｄ  防水パッキン付き直角エルボの下流側接続口
６２ｄ  環状溝
６３ｄ  防水パッキン
７    屋外排水管
９    排水桝
１０  基礎
１１  排水主管上流端のキャップ
１２  線材
【図１】
0005485949.tif 000002
【図２】
0005485949.tif 000003
【図３】
0005485949.tif 000004
【図４】
0005485949.tif 000005
【図５】
0005485949.tif 000006
【図６】
0005485949.tif 000007
【図７】
0005485949.tif 000008
【図８】
0005485949.tif 000009
【図９】
0005485949.tif 000010
【図１０】
0005485949.tif 000011